(57)【要約】【課題】ピックアップの寿命を長くする。【解決手段】ピックアップ２内には、光をディスク１に合焦させる対物レンズ２２と、給電回路６０に接続されて光を発する発光素子２０と、該発光素子２０からの光を対物レンズ２２に向けて反射するとともにディスク１に反射された光を通過させるミラー板２４と、ディスク１に反射されミラー板２４を通過した光を受光して電気信号に変換する受光素子２１を具えている。ピックアップ２内には、複数の発光素子２０、２０ａが上下に配列され、給電回路６０は、１つの発光素子２０の出力レベルが低下し信号が正しく再生されない場合に、該発光素子２０への給電を止めるとともに、該発光素子２０以外の何れかの発光素子２０ａに給電する切換え手段５に繋がっている。【選択図】　　図１
2004103052.tif 000002
【特許請求の範囲】
【請求項１】
ピックアップ（２）内に、光をディスク（１）に合焦させる対物レンズ（２２）と、給電回路（６０）に接続されて光を発する発光素子（２０）と、該発光素子（２０）からの光を対物レンズ（２２）に向けて反射するとともにディスク（１）に反射された光を通過させるミラー板（２４）と、ディスク（１）に反射されミラー板（２４）を通過した光を受光して電気信号に変換する受光素子（２１）を具えたディスク再生装置に於いて、
ピックアップ（２）内には、複数の発光素子（２０）（２０ａ）が上下又は左右に配列されて、受光素子（２１）は発光素子（２０）（２０ａ）の出力レベルが低下しディスク（１）からの信号が正しく再生されないことを検出する信号判別回路（４）に繋がり、
給電回路（６０）は、１つの発光素子（２０）の出力レベルが低下し信号判別回路（４）がディスク（１）からの信号が正しく再生されないことを検出した場合に、該発光素子（２０）への給電を止めるとともに、該発光素子（２０）以外の何れかの発光素子（２０ａ）に給電する切換え手段（５）に繋がっていることを特徴とするディスク再生装置。
【請求項２】
各発光素子（２０）と切換え手段（５）との間には、各発光素子（２０）の出力レベルが最大となる電圧を該発光素子（２０）に供給する調整回路（６５）が接続されている請求項１に記載のディスク再生装置。
【請求項３】
切換え手段（５）は、使用者に装置を修理すべき旨を知らせる報知手段（８０）に繋がり、給電回路（６０）が何れの発光素子（２０）に給電しても、信号が正しく再生されないときは、切換え手段（５）は報知手段（８０）を作動させる請求項１又は２に記載のディスク再生装置。
【請求項４】
ピックアップ（２）内には、複数の発光素子（２０）（２０ａ）を上下又は左右に配列した保持体（３）が設けられ、該保持体（３）は駆動機構（３０）によって昇降自在に設けられて、各発光素子（２０）がミラー板（２４）に対向可能である請求項１乃至３に記載のディスク再生装置。
【請求項５】
ピックアップ（２）内に、光をディスク（１）に合焦させる対物レンズ（２２）と、給電回路（６０）に接続されて光を発する発光素子（２０）と、該発光素子（２０）からの光を対物レンズ（２２）に向けて反射するとともにディスク（１）に反射された光を通過させるミラー板（２４）と、ディスク（１）に反射されミラー板（２４）を通過した光を受光して電気信号に変換する受光素子（２１）を具えたディスク再生装置のディスク再生方法に於いて、
ピックアップ（２）内には、複数の発光素子（２０）（２０ａ）が上下又は左右に配列されており、
１つの発光素子（２０）に給電し、出力レベルが一定レベル未満か否かを判別する工程と、
出力レベルが一定レベル以上の場合は、該発光素子（２０）への給電を継続し、一定レベル未満の場合は、該発光素子（２０）への給電を止めるとともに、該発光素子（２０）以外の何れかの発光素子（２０ａ）に給電する工程を有するディスク再生方法。
【発明の詳細な説明】
【０００１】
【発明の属する技術分野】
本発明は、ピックアップを具えたディスク再生装置及びディスク再生方法に関する。
【０００２】
【従来の技術】
図６は、従来のディスク再生装置のブロック図である（特開平６−１９５９４８号参照）。ディスク（１）は周知の如く、ターンテーブル（図示せず）により回転駆動され、ディスク半径方向に移動するピックアップ（２）により信号面がビーム照射される。ピックアップ（２）は内部に、ビームを発するダイオードから構成される発光素子（２０）と、該発光素子（２０）からの光を反射するミラー板（２４）を有するビームスプリッタ（２３）と、ディスク（１）に対向した対物レンズ（２２）と、ディスク（１）の信号面により反射された光を受ける受光素子（２１）を具える。発光素子（２０）からの光は、ミラー板（２４）に反射されて、ディスク（１）を照射し、ディスク（１）に反射された光は、ビームスプリッタ（２３）を通過して受光素子（２１）に入射する。該受光素子（２１）は入射した光を電気信号に変換する。受光素子（２１）からの電気信号はＲＦ回路（４０）によって再生信号であるＲＦ信号に変換されて、ＡＳＰ（Ａｎａｌｏｇｕｅ　Ｓｉｇｎａｌ　Ｐｒｏｃｅｓｓｏｒ）（６）に送られる。
【０００３】
ＡＳＰ（６）はＲＦ信号からトラッキング信号Ｔｒと、フォーカス信号Ｆｏを生成して、両信号をサーボ回路（９）に送るとともに、Ａ／Ｄコンバータを内蔵して給電回路（６０）及びＤＳＰ（Ｄｉｇｉｔａｌ　Ｓｉｇｎａｌ　Ｐｒｏｃｅｓｓｏｒ）（７）に繋がっている。ＤＳＰ（７）は、周知の如くＥＦＭ（Ｅｉｇｈｔ　ｔｏ　ｆｏｕｒｔｅｅｎ　ｍｏｄｕｌｅ）変調及び誤り訂正を行って、Ｄ／Ａコンバータ（７０）に出力し、該Ｄ／Ａコンバータ（７０）に変換されたアナログ信号は、ＢＰＦ（バンドパスフィルタ）（図示せず）を通ってスピーカ（７１）から出力される。
前記サーボ回路（９）はトラッキング信号Ｔｒと、フォーカス信号Ｆｏを受けて、対物レンズ（２２）を上下又は左右に駆動する。給電回路（６０）は、発光素子（２０）に給電して、該発光素子（２０）は所定レベルのビームを発する。
【０００４】
【特許文献１】
特開平６−１９５９４８号公報（第１図）
【０００５】
【発明が解決しようとする課題】
給電回路（６０）が発光素子（２０）に給電する電圧は、発光素子（２０）の出力レベルが最大となるように設定されている。しかし、ピックアップ（２）の長年の使用により、発光素子（２０）が劣化して出力レベルが低下し、当初設定した電圧を発光素子（２０）に供給してもディスクの信号が正しく再生されないことがある。
出願人はこの点に鑑みて、給電電圧を増幅するアンプを設け、当初設定した電圧を発光素子（２０）に供給しても正しく再生されないときは、該アンプを介して増幅された電圧をピックアップ（２）に供給する旨を、特願２００２−７５６５０号にて開示した（該出願は未公開である）。この構成により、発光素子（２０）の出力レベルが低下しても、引き続きピックアップ（２）及び装置を使用できる。
出願人は、この出願の応用として、アンプを設けずに、代わりに発光素子（２０）を複数設けることを着想した。発光素子（２０）の出力レベルが低下した際には該発光素子（２０）への給電を止めて、別の発光素子（２０ａ）に給電すれば、同様にピックアップ（２）を長く使用できる。
本発明の目的は、ピックアップ（２）の寿命を長くすることにある。
【０００６】
【課題を解決する為の手段】
ピックアップ（２）内には、複数の発光素子（２０）（２０ａ）が上下又は左右に配列されて、受光素子（２１）は発光素子（２０）（２０ａ）の出力レベルが低下しディスク（１）からの信号が正しく再生されないことを検出する信号判別回路（４）に繋がり、
給電回路（６０）は、１つの発光素子（２０）の出力レベルが低下し信号判別回路（４）がディスク（１）からの信号が正しく再生されないことを検出した場合に、該発光素子（２０）への給電を止めるとともに、該発光素子（２０）以外の何れかの発光素子（２０ａ）に給電する切換え手段（５）に繋がっている。
また、切換え手段（５）は、使用者に装置を修理すべき旨を知らせる報知手段（８０）に繋がり、給電回路（６０）が何れの発光素子（２０）に給電しても、信号が正しく再生されないときは、切換え手段（５）は報知手段（８０）を作動させる。
【０００７】
【作用及び効果】
ピックアップ（２）を継続して使用することにより、給電されている発光素子（２０）の出力レベルが低下し、信号が正しく再生されないことがある。この場合は、切換え手段（５）は、該発光素子（２０）への給電を止めるとともに、該発光素子（２０）以外の何れかの発光素子（２０ａ）に給電し、信号の再生を続ける。これにより、１つの発光素子（２０）の出力レベルが低下しても、ピックアップ（２）を引き続いて使用でき、ピックアップ（２）の寿命は長くなる。
また、何れの発光素子（２０）に給電してもディスクが再生されないときは、その旨が報知手段（８０）によって使用者に報知される。
ディスクが再生されないと、使用者は、ディスク再生装置のどの部分が故障したのか判らないのが通常である。然るに、本発明の内容では報知手段（８０）によってピックアップ（２）の寿命が経過したことが判り、使用者に無用の心配を与えることがない。
【０００８】
【発明の実施の形態】
（第１実施例）
以下、本発明の一例を図を用いて詳述する。
図１は、本例に係わるディスク再生装置のブロック図である。本例にあっては、発光素子（２０）（２０ａ）を複数設け、給電回路（６０）は出力レベルが低下した発光素子（２０）以外の何れか１つの発光素子（２０ａ）に給電する点に特徴がある。
対物レンズ（２２）の下方には、ビームスプリッタ（２３）が設けられ、ビームスプリッタ（２３）を挟んで２つの発光素子（２０）（２０ａ）が高さを違えて設けられている。ビームスプリッタ（２３）は透明体であって、内部に発光素子（２０）（２０ａ）からの光を対物レンズ（２２）に反射するミラー板（２４）（２４）を上下に設けている。各ミラー板（２４）（２４）は反射面を対応する発光素子（２０）に向けている。発光素子（２０）（２０ａ）は後記の切換え手段（５）によって何れか１つのみに給電され、各発光素子（２０）（２０ａ）からの光は対物レンズ（２２）によってディスク（１）の信号面に合焦された後に、該信号面に反射されてミラー板（２４）（２４）を通過し、ビームスプリッタ（２３）の下方に設けられた受光素子（２１）に入射する。受光素子（２１）は入射した光を電気信号に変換する。
【０００９】
受光素子（２１）からの信号は、ＲＦ回路（４０）によって再生信号であるＲＦ信号に変換されて、信号判別回路（４）に送られる。信号判別回路（４）はスレッショルドレベルを内蔵し、ＲＦ信号が一定レベル以上か否かを判断し、一定レベル以上であればＯＦＦ、一定レベル未満であればＯＮの信号を送出する。この一定レベルとは、ディスクからの信号が正しく再生できる下限のレベルであり、発光素子（２０）（２０ａ）が劣化し出力が低下した場合に、ＲＦ信号が一定レベル未満となる。
信号判別回路（４）はＡＳＰ（Ａｎａｌｏｇｕｅ　Ｓｉｇｎａｌ　Ｐｒｏｃｅｓｓｏｒ）（６）及び信号判別回路（４）からのＯＮ／ＯＦＦ信号を受ける切換え手段（５）に繋がり、ＡＳＰ（６）は従来と同様に、ＲＦ信号からトラッキング信号Ｔｒと、フォーカス信号Ｆｏを生成して、両信号をサーボ回路（９）に送るとともに、Ａ／Ｄコンバータを内蔵して給電回路（６０）及びＤＳＰ（Ｄｉｇｉｔａｌ　Ｓｉｇｎａｌ　Ｐｒｏｃｅｓｓｏｒ）（７）に繋がっている。サーボ回路（９）はトラッキング信号Ｔｒと、フォーカス信号Ｆｏを受けて、対物レンズ（２２）を上下又は左右に駆動する。ＤＳＰ（７）からスピーカ（７１）に至るまでの動作は従来と同じであり、説明を省く。
【００１０】
ＡＳＰ（６）は、発光素子（２０）へ給電する給電回路（６０）に繋がり、該給電回路（６０）は前記切換え手段（５）に繋がる。切換え手段（５）は、信号判別回路（４）からのＯＮ信号に基づき、給電すべき発光素子（２０）（２０ａ）を切り換える。説明の便宜上、ピックアップ（２）の使用開始当初は、上側の発光素子（２０）に給電するとするが、当初下側の発光素子（２０ａ）に給電してもよい。
切換え手段（５）は、マイクロコンピュータ（８１）を介して、第１及び第２の報知手段（８）（８０）に繋がり、両報知手段（８）（８０）は例えば、発光ダイオード、液晶表示パネルから構成される。
尚、図２に示すように、発光素子（２０）と切換え手段（５）との間に、給電回路（６０）から切換え手段（５）を介して供給された電圧を変える調整回路（６５）を設けてもよい。これは、発光素子（２０）の特性にはバラ付きがあり、同じ電圧を供給しても、出力レベルが各発光素子（２０）毎に異なる場合がある。そこで、各発光素子（２０）について予め出力レベルが最大となる給電電圧を測定しておき、調整回路（６５）にて切換え手段（５）から供給される電圧を、各発光素子（２０）の出力レベルが最大となる電圧に変換する。これにより、ディスク（１）の信号が良好な状態で再生される。
【００１１】
（動作の概要）
以下に、図３のフローチャートを用いて、本発明のディスク再生装置の動作を説明する。
先ず、信号判別回路（４）は、ＲＦ信号が一定レベル以上か否かを判断し（Ｓ１）、一定レベル以上であればＯＦＦ、一定レベル未満であればＯＮの信号を切換え手段（５）に送出する。切換え手段（５）は、信号判別回路（４）の信号がＯＦＦ、即ち、ディスク（１）が正しく再生されていれば、給電回路（６０）からの電圧を上側の発光素子（２０）に供給し続け、再生動作を続行する（Ｓ２）。信号判別回路（４）の信号がＯＮならば、発光素子（２０）の出力レベル低下により、ディスク（１）が正しく再生されていない虞れがあるから、給電回路（６０）からの電圧を図１に一点鎖線で示すように、下側の発光素子（２０ａ）に供給するとともに（Ｓ３）、上側の発光素子（２０）への給電を止める（Ｓ４）。１つの発光素子（２０）の出力レベルが低下して信号が正しく再生されなくとも、次の発光素子（２０ａ）へ給電を切り換えて再生が続けられるから、ピックアップ（２）の寿命が長くなる。
これとともに、切換え手段（５）は第１の報知手段（８）を作動させ、１つの発光素子（２０）の寿命が過ぎたことを使用者に知らせる（Ｓ５）。第１の報知手段（８）は、前記の如く、発光ダイオード、液晶表示パネルから構成されており、発光ダイオードが点灯又は点滅し、又は液晶表示パネルに”寿命の半分が経過した”旨の表示が出る。例えば、ピックアップ（２）の使用開始から３年で第１の報知手段（８）が作動すると、使用者はピックアップ（２）の寿命があと３年であることが判る。
【００１２】
切換え手段（５）は未使用の発光素子（２０ａ）に給電するから、再生信号のレベルは上昇している筈であり、信号判別回路（４）は再びＲＦ信号のレベルが一定以上か否かを確認する（Ｓ６）。一定レベル以上であれば切換え手段（５）は、下側の発光素子（２０ａ）に給電し続ける（Ｓ３）。
下側の発光素子（２０ａ）に給電しても、ＲＦ信号が一定レベル未満であれば、何れの発光素子（２０）（２０ａ）に通電しても信号が正しく再生されないから、ピックアップ（２）の寿命が経過したと判断して、第２の報知手段（８０）を作動させる（Ｓ７）。
第２の報知手段（８０）は、その旨を使用者に知らせ、使用者はディスク再生装置を修理又は交換する必要があることが判る。前記の如く、第２の報知手段（８０）は、発光ダイオード、液晶表示パネルから構成されており、発光ダイオードが点灯又は点滅し、又は液晶表示パネルに”修理が必要”である旨の表示が出る。
ディスクが再生されないと、使用者は、ディスク再生装置のどの部分が故障したのか判らないのが通常である。然るに、本例の内容では報知手段（８）によってピックアップ（２）の寿命が経過したことが判り、使用者に無用の心配を与えることがない。
尚、図４に示すように、ビームスプリッタ（２３）の側方に、切換え手段（５）に繋がった複数の発光素子（２０）（２０ａ）を縦一列に設け、ビームスプリッタ（２３）内に発光素子（２０）（２０ａ）に対応したミラー板（２４）（２４）を設けてもよい。図４に示す構成でも、上記と同様にピックアップ（２）の寿命が長くなる。
【００１３】
（第２実施例）
図５は、他の実施例を示すブロック図である。本例にあっては、複数の発光素子（２０）（２０ａ）を上下に配備した保持体（３）を昇降自在に設け、該保持体（３）を駆動機構（３０）にて昇降させて、発光素子（２０）を１つのミラー板（２４）に対向させている。駆動機構（３０）としては、図５に示す如く、保持体（３）の一側部にラック（３１）を形成し、該ラック（３１）に噛合するピニオンギア（３２）を保持体（３）の側方に設け、該ピニオンギア（３２）をモータ（Ｍ）等で所定時間回転させて、発光素子（２０）をミラー板（２４）に対向させる構成が考えられる。保持体（３）をバネ（３３）にて上向き又は下向きに付勢しておくことにより、保持体（３）は昇降位置にて上下にガタつかない。駆動機構（３０）には、この他にプランジャ、ラチェットギアを用いる等、当業者周知の種々の構成が考えられる。
切換え手段（５）は、各発光素子（２０）（２０ａ）及びモータ（Ｍ）に繋がり、前記と同様に１つの発光素子（２０）の出力レベルが低下した旨の情報を、信号判別回路（４）から得ると、モータ（Ｍ）に給電し、下側の発光素子（２０ａ）をミラー板（２４）に対向させる。これとともに、上側の発光素子（２０）への給電を止め、次の発光素子（２０ａ）に給電する。以下、順に発光素子（２０ａ）に給電し続け、何れの発光素子（２０ａ）に給電しても、信号が正しく再生されないときは、切換え手段（５）は第２の報知手段（８０）を作動させる。使用者はディスク再生装置を修理又は交換する必要があることが判る。尚、ＡＳＰ（６）からスピーカ（７１）に至るまでの構成は、図１に示すものと同じであり、記載を省く。
【００１４】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
上記例では、給電回路（６０）は発光素子（２０）に電圧を供給するとしたが、電流を供給してもよい。また、発光素子（２０）（２０ａ）は上下に設けられているとしたが、左右、即ちディスク（１）の信号面に略平行な面内に設けられていてもよい。この場合、図５に示す保持体（３）は上下ではなく、横方向に動いて、対応する発光素子（２０）（２０ａ）をミラー体（２４）に対向させる。
【図面の簡単な説明】
【図１】ディスク再生装置のブロック図である。
【図２】調整回路を設けたディスク再生装置の一部ブロック図である。
【図３】ディスク再生装置の動作を示すフローチャートである。
【図４】別の実施例に於けるディスク再生装置のブロック図である。
【図５】別の実施例に於けるディスク再生装置のブロック図である。
【図６】従来のディスク再生装置のブロック図である。
【符号の説明】
（２）　　ピックアップ
（３）　　保持体
（５）　　切換え手段
（８）　　第１の報知手段
（２０）　　発光素子
（２１）　　受光素子
（２２）　　対物レンズ
（２４）　　ミラー板
（３０）　　駆動機構
（６０）　　給電回路
（８０）　　第２の報知手段
【図１】
2004103052.tif 000003
【図２】
2004103052.tif 000004
【図３】
2004103052.tif 000005
【図４】
2004103052.tif 000006
【図５】
2004103052.tif 000007
【図６】
2004103052.tif 000008